(57)【要約】【課題】利用者の利便性を低下させることなく、ＩＣメモリに記憶しているデータのセキュリティを高めた携帯端末を提供することにある。【解決手段】制御部２は、撮像素子６ａの受光量がレベルＡと、レベルＢと、の間にあるときには、非接触ＩＣ部７をそのときの状態に保持し、有効、無効を切り換えない。具体的にいうと、撮像素子６ａの受光量がレベルＡを超えている状態から、レベルＡと、レベルＢと、の間のレベルに下がったときには、非接触ＩＣ部７を有効に保持し、反対に撮像素子６ａの受光量がレベルＢよりも小さい状態から、レベルＡと、レベルＢと、の間のレベルに上ったときには、非接触ＩＣ部７を無効に保持する。【選択図】図１
2008182322.tif 000002
【特許請求の範囲】
【請求項１】
携帯電話網を介して、任意の相手局と通信する通信部と、
撮像素子に投影されている画像を撮像画像として取り込む撮像手段と、
ＩＣメモリに記憶しているデータにかかるデータ通信を無線通信で行う非接触ＩＣ手段と、を備えた携帯電話において、
前記撮像手段の前記撮像素子における受光量を検出する受光量検出手段と、
前記受光量検出手段により検出されている受光量が予め定めた第１のレベルを超えた場合に、前記非接触ＩＣ手段を有効にし、また、前記受光量検出手段により検出されている受光量が予め定めた第２のレベルよりも下がった場合に、前記非接触ＩＣ手段を無効にする制御手段と、を備え、
前記第１のレベルは、前記第２のレベルよりも大きい値に設定されており、且つ、
前記撮像手段は、前記受光量検出手段により検出されている受光量が、前記第２のレベルよりも下がっている場合における感度を、前記第１のレベルを超えている場合における感度よりも低くする手段である、携帯電話。
【請求項２】
撮像素子に投影されている画像を撮像画像として取り込む撮像手段と、
ＩＣメモリに記憶しているデータにかかるデータ通信を無線通信で行う非接触ＩＣ手段と、を備えた携帯端末において、
前記撮像手段の前記撮像素子における受光量を検出する受光量検出手段と、
前記受光量検出手段により検出されている受光量が予め定めた第１のレベルを超えた場合に、前記非接触ＩＣ手段を有効にし、また、前記受光量検出手段により検出されている受光量が予め定めた第２のレベルよりも下がった場合に、前記非接触ＩＣ手段を無効にする制御手段と、を備えた携帯端末。
【請求項３】
前記第１のレベルは、前記第２のレベルよりも大きい値に設定されている、請求項１に記載の携帯端末。
【請求項４】
前記撮像手段は、前記受光量検出手段により検出されている受光量が、前記第２のレベルよりも下がっている場合における感度を、前記第１のレベルを超えている場合における感度よりも低くする手段である、請求項１、または２に記載の携帯端末。
【発明の詳細な説明】
【技術分野】
【０００１】
この発明は、ディジタルカメラ機能、および非接触ＩＣ機能を有する携帯電話、および携帯端末に関する。
【背景技術】
【０００２】
従来、ディジタルカメラ機能、および非接触ＩＣ機能を有する携帯電話等の携帯端末が一般に普及している。この非接触ＩＣ機能は、公知のように、定期券やプリペイド券等の乗車券や、クレジットカードやプリペイドカードに代わる電子マネーとして利用されている。非接触ＩＣ機能は、利用用途に応じたデータをＩＣメモリに記憶している。非接触ＩＣ機能は、処理端末との間で、ＩＣメモリに記憶しているデータの送信や、ＩＣメモリに記憶する更新データの受信等にかかるデータ通信を近距離の無線通信で行う。
【０００３】
このように、非接触ＩＣ機能は、ＩＣメモリに記憶しているデータを無線で送信することから、携帯端末をカバンやポケットに入れているときに、無線通信機能を有する読取機が近づけられて、ＩＣメモリに記憶しているデータが詐取（スキミング）される危険性がある。そこで、ＩＣメモリに記憶しているデータのセキュリティを確保するために、非接触ＩＣ機能の有効、無効の切り換えが行える携帯端末が提案されている（特許文献１〜３参照）。特許文献１〜３では、非接触ＩＣ機能を有効にするかどうかの判定を、携帯端末における特定のキー操作や、生体認証等で行う構成である。
【特許文献１】特開２００６−２５３７６２号公報
【特許文献２】特開２００６−１５５２６１号公報
【特許文献３】特開２００６−  ８６７３８号公報
【発明の開示】
【発明が解決しようとする課題】
【０００４】
しかしながら、上述の特許文献１〜３等で提案されている従来の技術は、非接触ＩＣ機能を有効にするときや、無効にするときに、利用者に何らかの操作を行わせるものであることから、利便性がよくない。
【０００５】
また、利用者が、非接触ＩＣ機能を無効にするのを忘れて、カバンや、ポケットに戻した場合には、上述したように、ＩＣメモリに記憶しているデータが詐取される危険性があり、データのセキュリティを十分に確保できていない。
【０００６】
この発明の目的は、利用者の利便性を低下させることなく、ＩＣメモリに記憶しているデータのセキュリティを高めた携帯電話、および携帯端末を提供することにある。
【課題を解決するための手段】
【０００７】
この発明は、上記課題を解決するために以下のように構成している。
【０００８】
撮像素子に投影されている画像を撮像画像として取り込む撮像手段と、ＩＣメモリに記憶しているデータにかかるデータ通信を無線通信で行う非接触ＩＣ手段と、を備えた携帯電話等の携帯端末である。撮像手段は、所謂ディジタルカメラ機能であり、非接触ＩＣ手段は、定期券やプリペイド券等の乗車券や、クレジットカードやプリペイドカードに代わる電子マネーとしての利用される非接触ＩＣ機能である。そして、受光量検出手段が、前記撮像手段の前記撮像素子における受光量を検出する。また、制御手段が、前記受光量検出手段により検出されている受光量が予め定めた第１のレベルを超えた場合に、前記非接触ＩＣ手段を有効にし、また、前記受光量検出手段により検出されている受光量が予め定めた第２のレベルよりも下がった場合に、前記非接触ＩＣ手段を無効にする。ここで言う有効にするとは非接触ＩＣ手段の動作を許可することであり、無効にするとは非接触ＩＣ手段の動作を禁止することである。
【０００９】
一般的な利用者は、携帯端末を使用していないとき、携帯端末をカバンやポケットに入れている。そして、携帯端末を使用するときに、カバンやポケットから取り出す。このため、携帯端末を使用するためにカバンやポケットから取り出したときに、撮像素子に入る外乱光が急激に増加し、非接触ＩＣ手段が有効になる。反対に、携帯端末をカバンやポケットに戻すと、撮像素子に入る外乱光が急激に減少し、非接触ＩＣ手段が無効になる。したがって、カバンやポケット等に入れているときに、ＩＣメモリが記憶するデータが詐取されるのを防止でき、当該データのセキュリティの向上が図れる。また、利用者がカバンやポケットから携帯端末を取り出すだけであるので、非接触ＩＣ手段が有効になるので、利用者の利便性を低下させることもない。
【００１０】
また、前記第１のレベルを、前記第２のレベルよりも大きい値に設定しておけば、所謂ヒステリシスを持たせれば、非接触ＩＣ手段を有効／無効にする切換が、連続的に繰り返されるのを防止できる。
【００１１】
さらに、前記撮像手段を、前記受光量検出手段により検出されている受光量が、前記第２のレベルよりも下がっている場合における感度を、前記第１のレベルを超えている場合における感度よりも低くする構成とすることで、携帯端末をカバンやポケットに入れて、使用していないときの携帯端末の消費電力を抑えることができる。
【発明の効果】
【００１２】
この発明によれば、利用者の利便性を低下させることなく、ＩＣメモリに記憶しているデータのセキュリティを高めることができる。
【発明を実施するための最良の形態】
【００１３】
以下、この発明の実施形態である携帯電話について説明する。
【００１４】
図１は、この発明の実施形態である携帯電話の構成を示す図であり、図２は同携帯電話の外観を示す図である。携帯電話１は、制御部２と、通信部３と、操作部４と、表示部５と、撮像部６と、非接触ＩＣ部７と、を備えている。制御部２は、本体各部の動作を制御する。通信部３は、任意の相手局との間における音声通信やデータ通信を携帯電話網を介して行う。操作部４は、ダイヤルキー等を備え、本体に対する利用者の入力操作を受け付ける。表示部５は、操作部４における利用者の入力操作に応じた表示等を行う。撮像部６は、ＣＣＤ等の撮像素子６ａを有し、撮像レンズ６ｂを介して、この撮像素子６ａに投影されている画像を撮像画像として取り込む（図３参照）。撮像レンズ６ａは、単レンズで構成してもよいし、複数枚の組レンズで構成してもよい。撮像部６は、所謂カメラ機能である。表示部５は、この撮像部６で撮像されている撮像画像を表示することもできる。非接触ＩＣ部７は、電子マネーにかかるデータを記憶するＩＣメモリ７ａを有する。非接触ＩＣ部７は、通信エリアが数ｃｍ（１〜２ｃｍ）である近接離無線通信機能を有している。非接触ＩＣ部７は、通信エリア内に位置する処理端末との間で、ＩＣメモリ７ａに記憶している電子マネーにかかるデータの送信や、ＩＣメモリ７ａに記憶している電子マネーにかかるデータに対する更新データの受信等を無線通信で行う。
【００１５】
このように、この実施形態の携帯電話１は、所謂カメラ機能、および非接触ＩＣ機能付き携帯電話である。
【００１６】
なお、図２では、上部側が下部側に対して回動する折り畳み式の携帯電話１を示している。図２に示すように、上部側の表面には、撮像レンズ６ａ、およびサブ表示器４ａが取り付けられている。また、上部側の裏面（下側部に対向する面）には、メイン表示器（不図示）が設けられており、下部側の表面には、ダイヤルキー等の操作キーが設けられている。さらに、下部側の裏面には、日接触ＩＣ部が無線通信を行うためのアンテナ（不図示）が設けられている。
【００１７】
また、制御部２は、非接触ＩＣ部７を有効、または無効に切り換える制御を行う。非接触ＩＣ部７を有効にするとは、非接触ＩＣ部７が処理端末との間で無線通信を行うことを許可することであり、無効にするとは、非接触ＩＣ部７が処理端末との間で無線通信を行うことを禁止することである。言い換えれば、制御部２は、非接触ＩＣ部７の動作の許可、禁止にかかる切り換えを制御する。制御部２は、撮像素子６ａの受光量に応じて、非接触ＩＣ部７を有効、または無効に切り換える。撮像素子６ａの受光量は、撮像部６において検出される。図４に示すように、制御部２は、撮像素子６ａの受光量がレベルＡ（この発明で言う第１のレベル）よりも大きくなると、非接触ＩＣ部７を有効にする。また、撮像素子６ａの受光量がレベルＢ（この発明で言う第２のレベル）よりも小さくなると、非接触ＩＣ部７を無効にする。図４に示すように、レベルＡは、レベルＢよりも大きい値に設定されている。制御部２は、撮像素子６ａの受光量がレベルＡと、レベルＢと、の間にあるときには、非接触ＩＣ部７をそのときの状態に保持し、有効、無効を切り換えない。具体的にいうと、撮像素子６ａの受光量がレベルＡを超えている状態から、レベルＡと、レベルＢと、の間のレベルに下がったときには、非接触ＩＣ部７を有効に保持し、反対に撮像素子６ａの受光量がレベルＢよりも小さい状態から、レベルＡと、レベルＢと、の間のレベルに上ったときには、非接触ＩＣ部７を無効に保持する。すなわち、制御部２は、所謂ヒステリシスを用いて、非接触ＩＣ部７の有効、無効を切り換える制御を行う。
【００１８】
したがって、撮像部６において検出される受光素子６ａの受光量に含まれているノイズ成分によって、非接触ＩＣ部７の有効、無効の切り換えが時間的に連続して繰り返されるのを防止できる。すなわち、制御部２における非接触ＩＣ部７の有効、無効の切り換えにかかる制御を、安定して行うことができる。
【００１９】
なお、図４に示すＴ１、Ｔ２等については、以下野説明で引用する。
【００２０】
次に、この実施形態の携帯電話１の制御部２が非接触ＩＣ部７の有効、無効を切り換える処理について説明する。図５は、制御部が非接触ＩＣ部の有効、無効を切り換える処理を示すフローチャートである。一般的な利用者は、携帯電話１を使用していないときには、当該携帯電話１をカバンやポケットに入れている。そして、携帯電話１を使用するときに、カバンやポケットから取り出す。さらに、携帯電話１の使用が完了すると、カバンやポケットに戻す。
【００２１】
まず、ここでは、携帯電話１がカバンやポケットに入れられているものとして説明を開始する。携帯電話１がカバンやポケットに入れられているとき、撮像素子６ａには外光が殆ど入らない。レベルＢは、このとき、撮像部６において検出されている撮像素子６ａの受光量レベルよりも大きくなるように設定されている。また、この時点（図４に示すＴ１以前）では、制御部２は、非接触ＩＣ部７を無効に設定している。また、撮像部６の感度を低レベル状態にしている。また、通信部３等の他の機構部については、通常状態で保持されている。
【００２２】
制御部２は、撮像部６において検出されている撮像素子６ａの受光量レベルが、レベルＡを超えるのを待つ（ｓ１）。ここで、利用者が、携帯電話１を使用するために、例えばＩＣメモリ７ａに記憶している電子マネーにより取引金額を精算するために、図４に示すＴ１で携帯電話１をカバンやポケットから取り出すと、撮像素子６ａに外光が入り、撮像素子６ａの受光量レベルが急激に増加する。そして、受光素子６ａの受光量レベルがレベルＡを超える。言い換えれば、レベルＡは、携帯電話１をカバンやポケットから取り出したときにおける、撮像素子６ａの受光量レベルよりも小さく、且つレベルＢよりも大きい値に設定されている。
【００２３】
制御部２は、撮像部６において検出されている撮像素子６ａの受光量レベルが、レベルＡを超えると、非接触ＩＣ部７の状態を、無効としていた状態から有効とする状態に切り換える（ｓ２）。また、撮像部６の感度を低レベル状態から、この低レベル状態よりも高い通常レベルに切り換える（ｓ３）。これにより、携帯電話１は、非接触ＩＣ部７が利用できる状態になるとともに、撮像部６における動作も通常状態で使用できる状態になる。すなわち、ＩＣメモリ７ａに記憶している電子マネーにより取引金額を精算することもできれば、撮像部６において被写体の撮像が行える。
【００２４】
なお、通信部３等の他の機構部については、通常状態のままである。
【００２５】
制御部２は、撮像部６において検出されている撮像素子６ａの受光量レベルが、レベルＢよりも下がるの待つ（ｓ４）。利用者が、携帯電話１の使用を完了し、図４に示すＴ２でカバンやポケットに戻すと、上述したように、撮像部６において検出されている撮像素子６ａの受光量レベルが、レベルＢよりも下がる。制御部２は、撮像部６において検出されている撮像素子６ａの受光量レベルが、レベルＢよりも下がると、非接触ＩＣ部７の状態を、有効としていた状態から無効とする状態に切り換える（ｓ５）。また、撮像部６の感度を通常レベル状態から、この低レベル状態に切り換え（ｓ６）、ｓ１に戻る。これにより、携帯電話１は、非接触ＩＣ部７が利用できない状態になる。
【００２６】
このように、この実施形態の携帯電話１は、カバンやポケット等に入れているときには、非接触ＩＣ部７が無効になるので、無線通信機能を有する読取機を近づけられて、ＩＣメモリ７ａに記憶しているデータが詐取（スキミング）されるのを防止でき、ＩＣメモリ７ａに記憶しているデータのセキュリティを高めることができる。また、利用者が、カバンやポケットから携帯電話１を取り出すだけで、非接触ＩＣ部７が有効になる。したがって、利用者の利便性を低下させることもない。
【００２７】
さらに、携帯電話１が、カバンやポケット等に入れられているときには、撮像部６の感度を通常時よりも低い低感度レベルに制御するので、カバンやポケット等に入れられているときの携帯電話１の消費電力が抑えられる。
【００２８】
なお、上記実施形態では、ＩＣメモリ７ａに記憶されているデータは電子マネーにかかるデータであるとしたが、定期券やプリペイド券等の乗車券にかかるデータであってもよいし、その他のデータであってもよい。このデータは、非接触ＩＣ部７の用途に応じて決めればよい。
【００２９】
また、本願発明は、上述した携帯電話だけでなく、他の種類の携帯端末にも適用できる。
【図面の簡単な説明】
【００３０】
【図１】この発明の実施形態である携帯電話の構成を示す図である。
【図２】この発明の実施形態である携帯電話の外観を示す図である。
【図３】この発明の実施形態である携帯電話の撮像部を示す図である。
【図４】非接触ＩＣ部を有効、または無効に切り換える制御を説明する図である。
【図５】制御部が非接触ＩＣ部の有効、無効を切り換える処理を示すフローチャートである。
【符号の説明】
【００３１】
１−携帯電話
２−制御部
３−通信部
４−操作部
５−表示部
６−撮像部
６ａ−撮像素子
６ｂ−撮像レンズ
７−非接触ＩＣ部
７ａ−ＩＣメモリ
【図１】
2008182322.tif 000003
【図２】
2008182322.tif 000004
【図３】
2008182322.tif 000005
【図４】
2008182322.tif 000006
【図５】
2008182322.tif 000007